(57)【特許請求の範囲】
【請求項１】
燃焼排ガスから潜熱を回収する潜熱回収用熱交換器と、この潜熱回収用熱交換器において発生するドレン水を排出させて中和処理する中和器と、この中和器において中和処理された後の中和済みドレン水が排水ポンプの作動により上記中和器から導出管を通して排出された後に流入し排水されるドレン水排水管と、浴槽との間に配管される浴槽配管とを備え、上記ドレン水排水管が上記浴槽配管内に二重管方式により内挿されることになる温水装置であって、
上記ドレン水排水管の内表面を洗浄する洗浄手段を備え、
上記洗浄手段は、上記排水ポンプの上流側位置の上記導出管に対し合流するように下流端が接続されて水道水を洗浄水又は洗浄水の一部として導入する導入路と、この導入路に介装されて上記ドレン水排水管の内表面における菌繁殖を抑制又は回避するための殺菌剤を上記洗浄水に対し混入する殺菌剤混入部とを備え、上記殺菌剤混入部から上記洗浄水に対し上記殺菌剤を混入することにより、ドレン水排水管の内表面を殺菌するように構成されており、
上記殺菌剤混入部は，一対の電極を備え、これら一対の電極に通電することによる電気分解によって上記殺菌剤を上記洗浄水に溶出させて混入するように構成され、かつ、これら一対の電極に対する通電切換や通電制御により上記殺菌剤の混入切換や殺菌剤濃度の変更が行い得るように構成されている、
ことを特徴とする温水装置。
【請求項２】
請求項１に記載の温水装置であって、
上記殺菌剤混入部による殺菌剤の混入を、洗浄水の供給期間又はドレン水の排出期間の内の後半の一部期間に実行する洗浄制御部を備えている、温水装置。
【請求項３】
請求項１又は請求項２に記載の温水装置であって、
外気温を検知する外気温センサと、この外気温センサからの出力に基づいて、上記洗浄手段による洗浄水の供給タイミング又は殺菌剤の混入タイミングを決定するためのインターバル設定値を変更設定する洗浄制御部とを備えている、温水装置。
【請求項４】
請求項１〜請求項３のいずれかに記載の温水装置であって、
外気温を検知する外気温センサと、この外気温センサからの出力に基づいて、上記殺菌剤混入部による殺菌剤の混入量を変更設定する洗浄制御部とを備えている、温水装置。
【請求項５】
請求項１〜請求項４のいずれかに記載の温水装置であって、
外気温を検知する外気温センサと、この外気温センサからの出力に基づいて、上記洗浄手段による洗浄水量を変更設定する洗浄制御部とを備えている、温水装置。
【請求項６】
請求項１〜請求項５のいずれかに記載の温水装置であって、
上記洗浄手段による洗浄の終了後に上記排水ポンプを継続して作動させることにより、中和器の大気連通管から空気を引き込んでドレン水排水管内の滞留水をパージして空気置換させる洗浄制御部を備えている、温水装置。
【請求項７】
請求項１〜請求項６のいずれかに記載の温水装置であって、
上記洗浄手段により洗浄水の供給又は殺菌剤の混入を実行するとき、上記排水ポンプを通常のドレン水排水のときの設定回転数よりも高く設定した高設定回転数で作動させる洗浄制御部を備えている、温水装置。
【請求項８】
請求項１〜請求項６のいずれかに記載の温水装置であって、
上記洗浄手段は、洗浄水又はドレン水に対しマイクロバブルを混入させるマイクロバブル混入部を備えている、温水装置。
【発明の詳細な説明】
【技術分野】
【０００１】
本発明は、潜熱回収式の熱交換器と、この熱交換器で発生するドレン水を排水するためのドレン水排水管とを備え、ドレン水排水管の内部を洗浄水により洗浄し得るようにした温水装置に関し、特に浴槽との間に接続された浴槽用配管を利用してドレン水排水管を浴槽用配管の内部に二重管式に挿入配置させるようにした場合の洗浄技術に係る。
【背景技術】
【０００２】
従来、潜熱回収式熱交換器を搭載していないタイプの既設の熱源機を、新しく潜熱回収式熱交換器が搭載された新しい熱源機と交換する場合に、潜熱回収式熱交換器で発生したドレン水を排水させるためにドレン水排水管を新たに配管する必要が生じる。そこで、既設の配管をそのまま利用してドレン水排水管の配管を行うことが提案されている。すなわち、既設の熱源機と浴槽との間には追焚循環や浴槽へ湯水を供給するための浴槽配管が既に配管されているため、浴槽配管の内部にドレン水排水管を挿入して二重管方式にし、ドレン水排水管の配管のための新たな設置スペースを不要にすることが提案されている（例えば特許文献１参照）。
【０００３】
又、ドレン水に含まれるホルムアルデヒドを除去するために、二酸化マンガン触媒を用いた分解反応を利用することの提案（例えば特許文献２参照）や、中和剤による中和処理後のドレン水を貯留槽に貯留した上で浴槽等に排出させる際に、貯留槽内のドレン水をヒータ加熱処理することで菌繁殖を抑制することの提案（例えば特許文献３参照）も行われている。
【先行技術文献】
【特許文献】
【０００４】
【特許文献１】特開２００９−１３３６００号公報
【特許文献２】特開２００９−２２２３６７号公報
【特許文献３】特開２００８−２９８４１２号公報
【発明の概要】
【発明が解決しようとする課題】
【０００５】
ところで、上記の二重管方式でドレン水排水管を配設する場合、元々配管されている浴槽配管の内部に挿入させる必要上、ドレン水排水管の内径は必然的に狭くなり（例えば管径５ｍｍ程度）、詰まりに対しては弱くなるという不都合を内在している。一方、熱源機の側でドレン水の中和処理を行い、中和処理後のドレン水をドレン水排水管を通して排水させることになるため、仮にドレン水排水管内で滞留が生じると、微生物の繁殖・増殖が可能な状況に陥るおそれがある、という不都合の発生が考えられる。すなわち、中和処理前のドレン水であれば強酸性であるが故に微生物の繁殖・増殖は不能であるものの、中和処理後のドレン水では微生物の繁殖・増殖が可能な状況に陥るおそれがあると考えられる。かかる微生物の繁殖・増殖は、これを長期間放置して微生物の繁殖・増殖が進行した場合には、ドレン水排水管内にぬめり等のバイオフィルムの形成原因となり、これに起因してドレン水排水管の詰まりを引き起こす要因ともなり得る。
【０００６】
本発明は、このような事情に鑑みてなされたものであり、その目的とするところは、ドレン水排水管を二重管方式により浴槽配管内に配設する場合に、菌増殖によるぬめり等の発生に起因するドレン水排水管の詰まり発生を確実に防止し得る温水装置を提供することにある。
【課題を解決するための手段】
【０００７】
上記目的を達成するために、本発明では、燃焼排ガスから潜熱を回収する潜熱回収用熱交換器と、この潜熱回収用熱交換器において発生するドレン水を導出させて中和処理する中和器と、この中和器において中和処理された後の中和済みドレン水が排水ポンプの作動により上記中和器から導出管を通して排出された後に流入し排水されるドレン水排水管と、浴槽との間に配管される浴槽配管とを備え、上記ドレン水排水管が上記浴槽配管内に二重管方式により内挿されることになる温水装置を対象にして次の特定事項を備えることとした。すなわち、上記ドレン水排水管の内表面を洗浄する洗浄手段を備えることとした。そして、この洗浄手段として、上記排水ポンプの上流側位置の上記導出管に対し合流するように下流端が接続されて水道水を洗浄水又は洗浄水の一部として導入する導入路と、この導入路に介装されて上記ドレン水排水管の内表面における菌繁殖を抑制又は回避するための殺菌剤を上記洗浄水に対し混入する殺菌剤混入部とを備え、上記殺菌剤混入部から上記洗浄水に対し上記殺菌剤を混入することにより、ドレン水排水管の内表面を殺菌する構成とした。加えて、上記殺菌剤混入部として，一対の電極を備え、これら一対の電極に通電することによる電気分解によって上記殺菌剤を上記洗浄水に溶出させて混入するように構成し、かつ、これら一対の電極に対する通電切換や通電制御により上記殺菌剤の混入切換や殺菌剤濃度の変更が行い得る構成とした（請求項１）。
【０００８】
本発明の場合、洗浄手段の導入路から導出管に供給される洗浄水によりドレン水排水管の内表面が所定タイミングで洗浄されるため、ドレン水排水管の内表面に付着又は滞留した中和済みのドレン水に菌繁殖がたとえ生じていても、それが洗い流されることになる。このため、ぬめり等のバイオフィルム形成の原因となる菌繁殖を回避又は排除することが可能となり、たとえ細径のドレン水排水管であっても、その詰まり発生を確実に回避し得ることになる。
【０００９】
しかも、上記洗浄水に対し殺菌剤を混入する殺菌剤混入部を備えているため、洗浄水として例えば塩素が添加された水道水だけを用いてドレン水排水管の内表面を洗浄したり、それに殺菌剤を混入した洗浄水を用いてドレン水排水管の内表面を殺菌したりという、選択的使用が可能となり、菌繁殖の回避又は排除の機能を増強し得ることになる。
【００１１】
加えて、導入路から殺菌剤が混入された洗浄水が導出管に流されて導出管内の中和済みドレン水に混入されると、中和済みドレン水の殺菌が行われる一方、殺菌剤が混入された状態の中和済みドレン水がドレン水排水管に流されることになるため、ドレン水排水管内における菌繁殖が抑制又は防止される。これにより、たとえ細径のドレン水排水管であっても、その詰まり発生を確実に回避し得ることになる。
【００１２】
さらに、殺菌剤混入部を導入路に介装し、この導入路の下流端を排水ポンプの上流側位置の導出管に対し合流するように接続しているため、上記中和器から排出されるドレン水の出口よりもドレン水排水管側である下流側の導出管に対し殺菌剤を混入することができる。これにより、殺菌剤混入部を殺菌剤が例えば中和器よりも上流側のドレン水に対し混入されるように配設した場合には殺菌剤が中和器内で中和剤と反応したり中和器内の殺菌で消費されたりして減少してしまうことになるという事態の発生を回避して、殺菌剤を有効に利用し得ることになる。
【００１３】
又、上記殺菌剤混入部による殺菌剤の混入を、洗浄水の供給期間又はドレン水の排出期間の内の後半の一部期間に実行する洗浄制御部を備えるようにすることができる（請求項２）。このようにすることにより、まずは殺菌剤が非混入の洗浄水又はドレン水により純水排水管の内表面が洗い流され、期間の後半において殺菌剤が混入された洗浄水又はドレン水により菌を死滅させることが可能となり、殺菌機能を低下させることなく殺菌剤の効率使用が可能となる。
【００１４】
外気温を検知する外気温センサと、この外気温センサからの出力に基づいて、上記洗浄手段による洗浄水の供給タイミング又は殺菌剤の混入タイミングを決定するためのインターバル設定値を変更設定する洗浄制御部とを備えるようにすることができる（請求項３）。又、外気温を検知する外気温センサと、この外気温センサからの出力に基づいて、上記殺菌剤混入部による殺菌剤の混入量を変更設定する洗浄制御部とを備えるようにすることができる（請求項４）。さらに、外気温を検知する外気温センサと、この外気温センサからの出力に基づいて、上記洗浄手段による洗浄水量を変更設定する洗浄制御部とを備えるようにすることができる（請求項５）。このようにすることにより、例えば外気温等が高くなれば菌繁殖は活発化するためインターバル設定値をより短く、殺菌剤の混入量をより多くして殺菌剤濃度をより高く、又は、洗浄水量をより増加させ、逆に、外気温が低くなれば菌繁殖も低調になるためインターバル設定値をより長く、殺菌剤の混入量をより少なくして殺菌剤濃度をより低く、又は、洗浄水量をより減少させる、というように変更設定可能となる。これにより、バイオフィルム形成の原因となる菌繁殖の状況に応じて適切なインターバル設定値、殺菌剤濃度又は洗浄水量の変更設定を行うことができるようになる。
【００１５】
又、上記洗浄手段による洗浄の終了後に上記排水ポンプを継続して作動させることにより、中和器の大気連通管から空気を引き込んでドレン水排水管内の滞留水をパージして空気置換させる洗浄制御部を備えるようにすることができる（請求項６）。このようにすることにより、ドレン水排水管に残存する菌を確実に排除して菌繁殖の可能性を少しでも低減させることが可能となる。
【００１６】
さらに、上記洗浄手段により洗浄水の供給又は殺菌剤の混入を実行するとき、上記排水ポンプを通常のドレン水排水のときの設定回転数よりも高く設定した高設定回転数で作動させる洗浄制御部を備えるようにすることができる（請求項７）。このようにすることにより、洗浄水や殺菌剤混入済みのドレン水の供給流量を増大させてドレン水排水管内への供給内圧を高めることができ、ドレン水排水管内に滞留した菌や析出物を流し去ることが可能になる。
【００１７】
加えて、上記洗浄手段として、洗浄水又はドレン水に対しマイクロバブルを混入させるマイクロバブル混入部を備えたものとすることができる（請求項８）。このようにすることで、マイクロバブルによるドレン水排水管の内表面への衝突作用により、内表面に付着したり滞留したりしている菌や析出物を流し去ることが可能になる。
【発明の効果】
【００１８】
以上、説明したように、請求項１を基本とする温水装置によれば、洗浄手段の導入路から導出管に供給される洗浄水によりドレン水排水管の内表面が所定タイミングで洗浄されるため、ドレン水排水管の内表面に付着又は滞留した中和済みのドレン水に菌繁殖がたとえ生じていても、それを洗い流すことができる。このため、ぬめり等のバイオフィルム形成の原因となる菌繁殖を回避又は排除することができ、たとえ細径のドレン水排水管であっても、その詰まり発生を確実に回避することができるようになる。この際、殺菌剤混入部を導入路に備えることで、洗浄水として例えば塩素が添加された水道水だけを用いてドレン水排水管の内表面を洗浄したり、それに殺菌剤を混入した洗浄水を用いてドレン水排水管の内表面を殺菌したりという、選択的使用をすることができ、菌繁殖の回避又は排除の機能を増強させることができる。
【００１９】
加えて、導入路から殺菌剤が混入された洗浄水を導出管に流して導出管内の中和済みドレン水に混入することにより、中和済みドレン水の殺菌を行うことができる一方、殺菌剤が混入された状態の中和済みドレン水をドレン水排水管に流すことができ、ドレン水排水管内における菌繁殖を抑制又は防止することができる。これにより、たとえ細径のドレン水排水管であっても、その詰まり発生を確実に回避することができるようになる。
【００２０】
さらに、殺菌剤混入部を導入路に介装し、この導入路の下流端を排水ポンプの上流側位置の導出管に対し合流するように接続しているため、上記中和器から排出されるドレン水の出口よりもドレン水排水管側である下流側の導出管に対し殺菌剤を混入することができる。これにより、殺菌剤混入部を殺菌剤が例えば中和器よりも上流側のドレン水に対し混入されるように配設した場合には殺菌剤が中和器内の中和剤と反応したり中和器内の殺菌に消費されたりして減少してしまうことになるという事態の発生を回避することができ、殺菌剤を有効に利用することができるようになる。
【００２１】
請求項２によれば、まずは殺菌剤が非混入の洗浄水又はドレン水により純水排水管の内表面を洗い流し、期間の後半において殺菌剤が混入された洗浄水又はドレン水により菌を死滅させることができる。これにより、殺菌機能を低下させることなく殺菌剤の効率使用を行うことができるようになる。
【００２２】
請求項３によればインターバル設定値の長短設定を、請求項４によれば殺菌剤の混入量の増減設定を、請求項５によれば洗浄水量の大小設定を、それぞれ菌繁殖の活発化又は低調化の要因となる外気温の高低如何に応じて変更設定することができる。これにより、バイオフィルム形成の原因となる菌繁殖の状況に応じて適切なインターバル設定値、殺菌剤濃度又は洗浄水量の変更設定を行うことができるようになる。
【００２３】
又、請求項６によれば、ドレン水排水管内の滞留水をパージして空気置換させることで、ドレン水排水管に残存する菌を確実に排除して菌繁殖の可能性を少しでも低減させることができるようになる。
【００２４】
さらに、請求項７によれば、洗浄水や殺菌剤混入済みのドレン水の供給流量を増大させてドレン水排水管内への供給内圧を高めることができ、ドレン水排水管内に滞留した菌や析出物を流し去ることができるようになる。
【００２５】
加えて、請求項８によれば、マイクロバブルによるドレン水排水管の内表面への衝突作用により、内表面に付着したり滞留したりしている菌や析出物を流し去ることができるようになる。
【図面の簡単な説明】
【００２６】
【図１】本発明の実施形態が適用される具体的な熱源機の模式図である。
【図２】図１の要部としてドレン水排水管の洗浄に係る構成部分を拡大して示す説明図である。
【図３】図３（ａ）は銀イオン混入槽を示す模式図であり、図３（ｂ）は二重管の例を斜視図により示す説明図である。
【発明を実施するための形態】
【００２７】
以下、本発明の実施形態を図面に基づいて説明する。
【００２８】
図１は、本発明の実施形態に係る温水装置を適用した具体的なシステムの例を示す。この図１に例示する温水装置は、給湯機能に加えて、温水循環式暖房機能、風呂追焚機能、風呂湯張り機能の各機能を併有する複合熱源機型に構成されたものであり、燃焼加熱部において顕熱に加え燃焼排ガスから潜熱をも回収することにより高効率化を図る潜熱回収型のものである。なお、本発明を実施する上では、少なくとも燃焼加熱部に対し潜熱回収用の二次熱交換器１を併設したものであれば適用することができ、又、風呂追焚機能を有して浴槽配管としての追焚循環路３が設置されたものであればドレン水排水管の配設して浴槽２等が設置された浴室排水設備を用いたドレン水の排出が可能となる。
【００２９】
同図において、符号２１は給湯機能を実現するための給湯回路、２２は温水循環式暖房機能を実現するための暖房回路、２３は風呂側循環回路として風呂追焚機能を実現するための追焚回路、２４は風呂湯張り機能を実現するための注湯回路であり、又、符号２５は潜熱回収用の二次熱交換器１で発生するドレン水の中和処理を行うドレン水処理回路、２６は中和処理後のドレン水を排出するための導出管１５に対し洗浄水を供給するための洗浄手段としての洗浄水供給回路、２７はこれらの各回路の作動制御等を行う制御手段としてのコントローラである。なお、この給湯装置における風呂追焚は、暖房回路２２の高温水を熱源として、追焚回路２３の浴槽水をバスヒータ４１で液−液熱交換加熱することにより昇温させて追焚加熱を行うタイプのものであるが、これに限らず、追焚加熱のための燃焼加熱部(燃焼バーナ及びこの燃焼バーナの燃焼熱により熱交換加熱される熱交換器)を備えたもので追焚を行う構成にしてもよい。
【００３０】
上記給湯回路２１は、給湯用燃焼バーナ３１と、この燃焼バーナ３１の燃焼熱により入水を熱交換加熱する給湯用の一次熱交換器３２とを燃焼加熱部として備え、入水路３３から水道水等が上記給湯用一次熱交換器３２において主として加熱され、加熱された後の湯が出湯路３４に出湯されるようになっている。この際、上記入水路３３からの入水は、一次熱交換器３２に入水される前に、上記二次熱交換器１を構成する給湯用熱交換部１ａに通されるようになっており、この熱交換部１ａにおいて燃焼排ガスからの潜熱回収により予熱された状態で一次熱交換器３２に入水されて主加熱されるようになっている。そして、所定温度まで加熱されて上記出湯路３４に出湯された湯が、台所や浴室等の給湯栓３５や上記注湯回路２４などの所定の給湯箇所に給湯されるようになっている。上記入水路３３には給水を受けた入水の流量を検出する流量センサ３３ａや入水温度を検出する入水温度センサ３３ｂが介装され、これらの検出値がコントローラ２７に出力されるようになっている。なお、図例では給湯栓３５として１つのみ図示しているが、通常は台所、洗面台、浴室等にそれぞれ配設されて複数ある。上記の一次熱交換器３２や後述の暖房用の一次熱交換器３７が顕熱回収用熱交換器を構成し、上記給湯用熱交換部１ａや後述の暖房用熱交換部１ｂで構成される二次熱交換器１が潜熱回収用熱交換器を構成する。
【００３１】
上記暖房回路２２は、暖房用燃焼バーナ３６と、この燃焼バーナ３６の燃焼熱により循環温水を熱交換加熱する暖房用一次熱交換器３７とを燃焼加熱部として備え、この暖房用一次熱交換器３７に暖房用温水循環路３８が通されている。
【００３２】
上記温水循環路３８は、膨張タンク３９に戻されて貯留される低温水を暖房用循環ポンプ４０の作動により上記暖房用一次熱交換器３７の入口に送り、ここで燃焼バーナ３６により加熱された高温水を高温往き路３８ａから液−液熱交換器であるバスヒータ４１に熱源として供給したり、高温往きヘッダー４２を介して例えば浴室乾燥機等の高温用暖房端末４３に供給したりされるようになっている。又、上記の循環ポンプ４０の作動により、膨張タンク３９内の低温水を低温往きヘッダー４４を介して例えば床暖房機等の低温用暖房端末４５に供給し、全ての暖房端末４３，４５から放熱により低温になった低温水を戻りヘッダー４６を介して潜熱回収用の二次熱交換器１の暖房用熱交換部１ｂに通した上で膨張タンク３９に戻すというように、循環させるようになっている。上記の二次熱交換器１の暖房用熱交換部１ｂにおいては、暖房用燃焼バーナ３６の燃焼排ガスからの潜熱回収により低温水が予熱され、予熱された低温水が膨張タンク３９に戻されるようになっている。
【００３３】
追焚回路２３は、液−液熱交換式の加熱部としてのバスヒータ４１が、戻り路３ａ及び往き路３ｂからなる追焚循環路３に介装され、追焚用循環ポンプ４７の作動により浴槽２から戻り管３０ａ及び戻り路３ａを通して取り出された浴槽水がバスヒータ４１に送られ、このバスヒータ４１において暖房回路２２側の高温水を熱源とする液−液熱交換により追焚加熱され、追焚加熱後の浴槽湯水が往き路３ｂ及び往き管３０ｂを通して浴槽２に送られるようになっている。上記の追焚循環路３と、温水装置の接続部において追焚循環路３と接続されて機外に設置された外部配管である戻り管３０ａ及び往き管３０ｂとによって、浴槽２との間で浴槽水を追焚のために循環させる追焚循環回路が構成されている。そして、温水装置と浴槽２との間に配管された外部配管である戻り管３０ａ又は往き管３０ｂが浴槽配管を構成することになる。
【００３４】
注湯回路２４は、給湯回路２１から上流端が分岐して下流端が追焚循環路３に合流された注湯路４８と、開閉切換により注湯の実行と遮断とを切換える注湯電磁弁４９とを備えている。この注湯電磁弁４９がコントローラ２７により開閉制御され、注湯の実行により、出湯路３４の湯が注湯路４８，追焚循環路３を経て浴槽２に注湯されて所定量の湯張りが行われるようになっている。
【００３５】
ドレン水処理回路２５は、二次熱交換器１（給湯用熱交換部１ａ及び暖房用熱交換部１ｂ）において燃焼排ガスが潜熱回収のための熱交換により冷やされて凝縮することにより生じたドレン水の貯留や中和処理を行うために設置された回路である。すなわち、ドレン水処理回路２５は、二次熱交換器１の下側位置に配設されたドレンパンにより集水・回収された強酸性のドレン水を、導出管１３を通して中和器５に供給し、中和器５において中和処理された後の中和済みドレン水が排水ポンプ１４の作動により導出管１５を通して温水装置から排出され、排出接続管１６及び上記戻り管３０ａ内に二重管方式により挿入されたドレン水排水管１７を通して浴室排水口２０に排水させるようになっている。
【００３６】
上記中和器５は、図２に詳細を示すように、中和剤（例えば炭酸カルシウム）Ｗが充填された中和処理槽５１と、貯留槽５２とを備え、導出管１３により供給されるドレン水を受けて中和処理槽５１において中和剤Ｗと接触させることで中和処理が行われ、中和処理済みのドレン水が貯留槽５２において一時貯留されるようになっている。貯留槽５２にはドレン水の貯留水位検出のために高水位電極５２１及び低水位電極５２２が設けられており、所定の高水位まで水位上昇したこと、あるいは、所定の低水位まで水位低下したことの信号がコントローラ２７に出力されるようになっている。又、貯留槽５２はその頂部が大気連通管５２３を通して大気に連通されており、排水ポンプ１４の作動により貯留槽５２内をパージして空気と置換し得るようになっている。
【００３７】
洗浄水供給回路２６（図２参照）は、入水路３３から水道水を洗浄水又は洗浄水の一部として導入する導入路６１と、この導入路６１を通して水道水を導入するか否かを切換える開閉切換弁６２と、開閉切換弁６２の下流位置の導入路６１に介装された殺菌剤混入部としての銀イオン混入槽６３とを備えている。上記導入路６１はその上流端が入水路３３の流量センサ３３ａよりも下流側位置から分岐し、下流端が導出管１５に対し排水ポンプ１４の上流側位置に合流するように接続されている。開閉切換弁６２はコントローラ２７の洗浄制御部からの指令を受けて開閉切換制御されるようになっており、開切換されることで入水路３３からの水道水が取り込まれ、銀イオン混入槽６３を通して導出管１５に流されるようになっている。
【００３８】
銀イオン混入槽６３は、図３（ａ）に例示するように、混入タンク６３１と、この混入タンク６３１内に配設された一対の電極６３２，６３２とを備えたものである。一対の電極６３２，６３２は、共に銀又は銀を含む合金により形成され、一方を正極として他方を負極として通電を受けると電気分解により銀イオンを溶出するようになっている。この溶出された銀イオンが銀イオン混入槽６３に通される水道水に混入され、銀イオン混入済みの洗浄水が導出管１５に流されるようになっている。又、この銀イオン混入槽６３では、上記の一対の電極６３２，６３２に対する通電を所定期間ごとに交互切換することで、電極６３２，６３２の片減りを確実に防止して電極すり減り量の平準化を実現し得るようにしている。この通電切換や通電制御はコントローラ２７の洗浄制御部により制御され、通電時間の変更制御によって溶解させる銀イオン量を変更制御して洗浄水の銀イオン濃度（殺菌剤濃度）を変更調節し得るようになっている。かかる銀イオン混入槽６３は、銀イオンの殺菌作用を利用して被処理水である中和済みのドレン水の殺菌を行うものである。
【００３９】
上記の導出管１５の下流端１５１は温水装置と外部配管との接続部を構成し、この下流端１５１に対し排水接続管１６の上流端が接続される。この排水接続管１６の下流端は、追焚循環路３との接続部の近傍位置において戻り管３０ａ内に挿入されているドレン水排水管１７の上流端に接続されて、中和済みのドレン水をドレン水排水管１７に流入し得るようになっている。すなわち、上記戻り管３０ａには図３(ｂ)に示すようにドレン水排水管１７が二重管方式で挿入されている。そして、戻り管３０ａの上記接続部の近傍位置に介装された流入継手１８(図２参照)によりドレン水排水管１７の上流端に対し排水接続管１６の下流端が連通接続され、戻り管３０ａの浴槽２の近傍位置に介装された終端継手１９によりドレン水排水管１７の下流端が戻り管３０ａから外部に引き出されて浴室排水口２０に排水可能となっている。なお、図３（ｂ）中の符号３０ｃは戻り管３０ａ及び往き管３０ｂを束ねる外装被覆である。又、図面では戻り管３０ａにドレン水排水管１７が内挿された例を示したが、これに限らず、往き管３０ｂに対しドレン水排水管１７を二重管方式で内挿させるようにしてもよい。
【００４０】
次に、洗浄水供給回路２６を用いたコントローラ２７の洗浄制御部による洗浄制御について説明する。洗浄制御は以下の各種の洗浄制御１〜６から選択された１又は２以上を組み合わせて実行させるようにすればよい。なお、制御の基本は、開閉切換弁６２を開変換して排水ポンプ１４を作動させることで洗浄を開始させ、洗浄水をドレン水排水管１７内に流して浴室排水口２０に排水させるものである。
【００４１】
(洗浄制御１)
洗浄制御１は、ドレン水の発生量とは関係なく所定のインターバル設定値で定期的に一定時間だけ開閉切換弁６２を開変換して洗浄水を導出管１５に供給し、この洗浄水によってドレン水排水管１７の内表面を洗浄するようにするものである。流す洗浄水としては、入水路３３から導入した水道水そのもの、あるいは、銀イオン混入槽６３に通電して銀イオンを混入させた洗浄水のいずれかを用いればよい。この場合は、コントローラ２７に内蔵の電子タイマにより所定のインターバル設定値が経過する毎に所定量又は所定時間の洗浄水供給を行う。流す洗浄水の量はドレン水排水管１７の延長距離に応じてドレン水排水管１７の内容量と同等以上の量を設定するようにすればよい。この際、洗浄水として２Ｌ流すように設定した場合には、例えば最初の１Ｌは銀イオン混入槽６３に通電させずに水道水のみを洗浄水として流し、最後の１Ｌは銀イオン混入槽６３に通電して銀イオン混入の洗浄水を流すようにしてもよい。これにより、まず、ドレン水排水管１７の内表面に付着したバイオフィルム等を水道水で洗い流した上で、次に、殺菌剤入りの洗浄水によってドレン水排水管１７の内表面を殺菌することができるようになり、菌繁殖防止機能を維持しつつ殺菌剤の使用を削減することができる。上記のインターバルとして、予め設定した画一的な固定値を設定しおいてもよいし、季節変動による外気温変化や、風呂温度又は給湯温度の高低に応じてインターバルの設定値を変更設定するようにしてもよい。すなわち、外気温等が高くなれば菌繁殖は活発化するため、インターバルの設定値をより短く変更し、逆に、外気温等が低くなれば菌繁殖も低調になるため、インターバルの設定値をより長く変更するようにすればよい。これにより、バイオフィルム形成の原因となる菌繁殖の状況に応じて適切な洗浄水供給及びドレン水排水管１７内の洗浄を行うことができるようになる。
【００４２】
(洗浄制御２)
洗浄制御２は、ドレン水が中和器５の貯留槽５２から排水されるタイミングで一定時間だけ開閉切換弁６２を開変換して洗浄水を導出管１５に供給し、この洗浄水によってドレン水排水管１７の内表面を洗浄するようにするものである。この場合は、貯留槽５２からの中和済みのドレン水の排水タイミングを例えば排水ポンプ１４の作動タイミングや、燃焼バーナ３１，３６の作動の有無などにより検知すればよい。又、中和済みのドレン水の排水開始直後又は排水時間の前半には殺菌剤である銀イオンを混入させずに洗浄水として水道水のみを流し、排水終了直前又は排水時間の後半に銀イオンを混入させた洗浄水を流すようにしてもよい。この場合には、例えば高水位電極５２１での高水位検知により排水ポンプ１４の作動を開始させ、低水位検知により排水ポンプ１４の作動を停止させるとすれば、低水位検知の出力を受けて短時間だけ上記の銀イオンを混入させるように銀イオン混入槽６３に通電させるようにした上で、排水ポンプ１４の作動を停止せさるようにすればよい。これにより、殺菌機能を低下させることなく、殺菌剤の使用量、つまり各電極６３２の損耗量を減少させることができる。
【００４３】
(洗浄制御３)
洗浄制御３は、以上の洗浄制御１又は２等において、洗浄水の量又は洗浄水に混入させる殺菌剤の濃度(殺菌剤の量；銀イオンの混入量)として予め設定した画一的な固定値設定とするのではなくて、季節変動による外気温変化や、風呂温度又は給湯温度の高低に応じて洗浄水量又は殺菌剤濃度を変更設定するようにしてもよい。すなわち、外気温等が高くなれば菌繁殖は活発化するため、外気温を検出する外気温センサ６５からの出力に基づいて設定温度よりも外気温が高くなれば、洗浄水量をより増加させる、又は、殺菌剤濃度をより高く変更し、逆に、外気温が低くなれば菌繁殖も低調になるため、上記の出力に基づいて設定温度よりも外気温が低くなれば洗浄水量をより減少させる、又は、殺菌剤濃度をより低く変更するようにすればよい。これにより、バイオフィルム形成の原因となる菌繁殖の状況に応じて適切な洗浄水量又は殺菌剤濃度の変更設定を行うことができるようになる。なお、上記の殺菌剤濃度の変更設定として銀イオンの混入量の変更を行うには、銀イオン混入槽６３の電極６３２，６３２に対する通電時間をより長く変更設定すればよい。又、風呂温度の高低の把握で風呂使用の有・無、つまり燃焼バーナ３６の燃焼作動の有・無が検知され、又、給湯温度の高低で燃焼バーナ３１の燃焼程度、つまりドレン水発生量の多・少が検知されることになる。
【００４４】
(洗浄制御４)
洗浄制御４は、洗浄水の供給を行ってドレン水排水管１７内の洗浄を実施する場合には、中和器５の貯留槽５２内の中和済みのドレン水を排出させるための設定回転数よりも高く設定した高設定回転数で排水ポンプ１４を作動させるようにするものである。これにより、洗浄水の供給流量を増大させてドレン水排水管１７内への供給内圧を高めることができ、ドレン水排水管１７内に滞留した菌や析出物を流し去ることができるようになる。
【００４５】
(洗浄制御５)
洗浄制御５は、洗浄水の供給を終了させた後も、所定の設定時間だけ排水ポンプを継続作動させることで、貯留槽５２内に加え、導出管１５、排水接続管１６及びドレン水排水管１７の内部を空気置換によりパージさせるようにするものである。この場合には、開閉切換弁６２が閉切換された後も排水ポンプ１４が作動継続されると、貯留槽５２内の中和済みのドレン水が全て排出され、次に、大気連通管５２３を通して大気が吸引され、この大気により貯留槽５２内のみならず、最下流側のドレン水排水管１７内もパージされることになる。これにより、ドレン水排水管１７に残存する菌を確実に排除して菌繁殖の可能性を少しでも低減させることができる。
【００４６】
(洗浄制御６)
洗浄制御６は、洗浄制御４とは逆に、殺菌剤(銀イオン)混入の洗浄水をドレン水排水管１７内に滞留させた状態で、洗浄を終了させるようにするものである。この場合には、ドレン水排水管１７の下流端側位置、例えば終端継手１９に開閉切換弁を介装させ、洗浄水による洗浄の終期において開閉切換弁を閉切換させて、殺菌剤混入済みの洗浄水をドレン水排水管１７内に滞留させるようにする。この場合、次の洗浄タイミングまで滞留状態に維持してもよいが、一定時間（例えば１時間）経過すれば、上記の洗浄制御５を実行させて滞留水をパージするようにしてもよい。
【００４７】
以上の実施形態の場合、ドレン水排水管１７が戻り管３０ａに対し二重管方式で配置され、内径が極めて細径になっていたとしても、洗浄水供給回路２６からの洗浄水供給によって、中和済みのドレン水が付着・滞留することによる菌繁殖に伴いバイオフィルム等が形成されてドレン水排水管１７が詰まってしまうという事態の発生を確実に回避することができる。
【００４８】
＜他の実施形態＞
なお、本発明は上記実施形態に限定されるものではなく、その他種々の実施形態を包含するものである。上記実施形態では、洗浄水供給回路２６の導入路６１の下流端を導出管１５、つまり中和器５の出口側(下流側)に合流するように接続しているが、洗浄水供給を中和器５の出口側(下流側)にしているのは、中和器５の上流側に洗浄水供給を行ったりあるいは中和器５の上流側に殺菌剤の混入を行ったりすると、特に殺菌剤として混入させた銀イオンが中和剤Ｗと反応したり、中和器５内の殺菌で消費されたりしてしまい、銀イオン量が減少してしまうおそれがあるからであり、銀イオン混入の洗浄水の供給又は銀イオン混入を中和器５の下流側にすることで、銀イオンの減少という事態の発生を回避しているのである。
【００４９】
また、洗浄水として、マイクロバブル混入水、電解水、加熱した高温水道水、あるいは、消毒用の塩素殺菌成分を含む水道水のみを用いるようにしてもよい。マイクロバブル混入水を用いる場合には、導入路６１に対しマイクロバブル混入部６４(図２参照)を介装させるようにすればよい。マイクロバブル混入部６４としては、例えば導入路６１の流路を狭窄させた狭窄部と、空気又はガスを注入する注入路とを内部に形成し、狭窄部を流速を高めて通過することで負圧を生じさせた洗浄水に対し、空気又はガスを混入させるようにすればよい。あるいは、積極的に加圧することにより空気又はガスを混入させるようにしてもよい。又、上記のマイクロバブル混入部６４を、例えば導出管１５内のドレン水に対しマイクロバブルが混入されるように、導出管１５に介装させるようにしてもよい。
【００５１】
さらに、ドレン水排水管１７を抗菌樹脂により形成して、内表面での菌繁殖を防止するようにしてもよい。
【符号の説明】
【００５２】
１      潜熱回収式熱交換器
２      浴槽
３      追焚循環路
５      中和器
１４    排水ポンプ
２５    ドレン水処理回路
２６    洗浄水供給回路（洗浄手段）
３０ａ  戻り管（浴槽配管）
６１    導入路
６２    開閉切換弁
６３    銀イオン混入槽（殺菌剤混入部；洗浄手段）
６４    マイクロバブル混入部
６５    外気温センサ
５２３  大気連通管
【図１】
0005585217.tif 000002
【図２】
0005585217.tif 000003
【図３】
0005585217.tif 000004